(57)【要約】【課題】体液の漏れを防止する手段によって肌に跡が残ることのない使い捨ておむつ。【解決手段】使い捨ておむつ１が股部被覆域５に一対の側縁部８を有する。側縁部８のそれぞれには、おむつ１の前後方向へ延びる体液防漏手段２１が形成される。防漏手段２１は、１０〜１２０のカンチレバー剛軟度を有するシート材料で形成された短冊片２２の複数を含む。短冊片２２は、その幅方向で横並びとなり、厚さ方向で互いに重なり合うように配置され、長さ方向に固定部位２３と可撓部位２５とを有する。【選択図】図１
2005230103.tif 000002
【特許請求の範囲】
【請求項１】
互いに直交する前後方向と横方向とを有し、前記前後方向には股部被覆域を中央にしてその前方と後方とに前胴周り被覆域と後胴周り被覆域とが形成され、これら各域が内面と前記内面の反対側の外面とを有し、前記内面では体液吸収性材料のブロックを透液性シートで被覆してなる体液吸収部が前記股部被覆域から前記前後方向へ延びている使い捨ておむつにおいて、
前記内面は前記使い捨ておむつの着用者の肌と向かい合う側にある一方、前記外面は前記着用者の着衣と向かい合う側にあり、
前記体液吸収部は、前記股部被覆域において、前記股部被覆域の前記横方向の寸法よりも小さく形成されていて、前記横方向において向かい合い前記前後方向へ延びる一対の側縁部を有し、前記側縁部それぞれの近傍には、前記側縁部に沿って前記前後方向へ延びる体液防漏手段が形成されており、
前記体液防漏手段が１０〜１２０のカンチレバー剛軟度を有するシート材料で形成された短冊片の複数を含み、前記短冊片が前記シート材料の厚さ方向に同じ厚さ方向と、前記前後方向である幅方向と、前記厚さ方向と幅方向とに交差する長さ方向とを有するものであって、前記幅方向で互いに横並びとなり、かつ前記厚さ方向で互いに重なり合うように配置されるとともに、前記長さ方向に前記内面および前記体液吸収部のいずれかに接合された固定部位と、前記固定部位の反対側である可撓性部位とを有していることを特徴とする前記使い捨ておむつ。
【請求項２】
前記股部被覆域と前記前胴周り被覆域と前記後胴周り被覆域とを有するパンツ形状および砂時計形状のいずれかを呈する身体被覆部と、前記身体被覆部とは別体に作られた前記体液吸収部とによって前記使い捨ておむつが形成され、前記股部被覆域と前記前胴周り被覆域と前記後胴周り被覆域とのいずれかにおいて、前記体液吸収部の前記側縁部が前記身体被覆部の前記内面から離間し、前記短冊片の前記一端部がその離間している前記内面と前記側縁部との間にあって、前記内面と前記側縁部とのいずれかに接合し、前記短冊片の前記反対端部が前記身体被覆部の前記横方向において前記側縁部の外側へ延びている請求項１に記載の使い捨ておむつ。
【請求項３】
前記短冊片は、横Ｖ字形を画くように前記長さ方向に折曲されている請求項１または２記載の使い捨ておむつ。
【請求項４】
前記短冊片を形成している前記シート材料が不織布であって、前記不織布がエラストマーからなる繊維および捲縮した繊維のいずれかを含む請求項１〜３のいずれかに記載の使い捨ておむつ。
【請求項５】
一対の前記側縁部に沿って延びる前記体液防漏手段どうしの間には、前記体液防漏手段からは独立した第２の短冊片の複数が前記使い捨ておむつの前記横方向で横並びとなることによって、前記使い捨ておむつの前記前後方向いずれかへの体液の流動を規制可能な手段が形成されている請求項１〜４のいずれかに記載の使い捨ておむつ。
【発明の詳細な説明】
【技術分野】
【０００１】
この発明は、使い捨ておむつに関し、より詳しくは体液の漏れを防止するのに有効な使い捨ておむつに関する。
【背景技術】
【０００２】
使い捨ておむつにおいて、軟便や尿等の排泄物がおむつの横方向へ流れておむつから漏れるということを防止するための手段は種々知られている。例えば、米国特許４，６９５，２７８号公報（特許文献１）に開示された使い捨ておむつは、おむつ両側部の内面側に体液の漏れを防止するためのバリアカフを有する。バリアカフは、おむつの股部被覆域を中心に前後方向へ延びており、おむつに接合する基縁部（proximal edge）と基縁部に平行しており、前後方向へ弾性的に伸長・収縮可能な自由縁部（distal edge）とを有し、その自由縁部には、糸ゴムが伸長状態で取り付けられている。このおむつを着用すると、バリアカフは、自由縁部が着用者の脚周りに密着して排泄物の横方向への流れを止めて、その排泄物がおむつから漏れることを防止する。
【特許文献１】米国特許４，６９５，２７８号公報
【発明の開示】
【発明が解決しようとする課題】
【０００３】
特許文献１に開示されたおむつのバリアカフは、糸ゴムの作用によって自由縁部がおむつ着用者の脚周りに強く密着して、その密着した部位に糸ゴムの跡が残ったり、その部位がかぶれたりすることがある。
【０００４】
この発明は、体液の横方向への流れを止めて体液の漏れを防止する手段を備えた使い捨ておむつであって、その手段によっておむつ着用者の肌に糸ゴムの跡が残ったり、肌がかぶれたりすることがないように改良を施すことが課題である。
【課題を解決するための手段および発明の効果】
【０００５】
前記課題を解決するために、この発明が対象とするのは、互いに直交する前後方向と横方向とを有し、前記前後方向には股部被覆域を中央にしてその前方と後方とに前胴周り被覆域と後胴周り被覆域とが形成され、これら各域が内面と前記内面の反対側の外面とを有し、前記内面では体液吸収性材料のブロックを透液性シートで被覆してなる体液吸収部が前記股部被覆域から前記前後方向へ延びている使い捨ておむつである。
【０００６】
かかる使い捨ておむつにおいて、この発明が特徴とするところは、次のとおりである。前記内面は前記使い捨ておむつの着用者の肌と向かい合う側にある一方、前記外面は前記着用者の着衣と向かい合う側にある。前記体液吸収部は、前記股部被覆域において、前記股部被覆域の前記横方向の寸法よりも小さく形成されていて、前記横方向において向かい合い前記前後方向へ延びる一対の側縁部を有し、前記側縁部それぞれの近傍には、前記側縁部に沿って前記前後方向へ延びる体液防漏手段が形成されている。前記体液防漏手段は１０〜１２０のカンチレバー式剛軟度を有するシート材料で形成された短冊片の複数を含み、前記短冊片が前記シート材料の厚さ方向に同じ厚さ方向と、前記前後方向である幅方向と、前記厚さ方向と幅方向とに交差する長さ方向とを有するものであって、前記幅方向で互いに横並びとなり、かつ前記厚さ方向で互いに重なり合うように配置されるとともに、前記長さ方向に前記内面および前記体液吸収部のいずれかに接合された固定部位と、前記固定部位の反対側である可撓性部位とを有している。
【０００７】
この発明に基づく使い捨ておむつでは、複数の短冊片によって防漏手段が形成されており、複数の短冊片がその幅方向で互いに横並びとなり、厚さ方向で互いに重なり合い、概ね外面から内面へ向かう方向へ延びるように体液吸収部の側縁部それぞれの近傍に配置されているから、排泄物はおむつの横方向への流れがその短冊片によって止められて、おむつから漏れることがない。短冊片は、伸長された糸ゴムを含むものではないから、それがおむつ着用者の肌に強く当たっても、肌に糸ゴムの跡が残ったり、肌がかぶれたりすることがない。この発明におけるカンチレバー式剛軟度は、ＪＩＳ  Ｌ  １９１３に基づいて測定される値であって、測定試片３個についての平均値をもって表わされる。
【０００８】
この発明の実施態様の一つにおいては、前記股部被覆域と前記前胴周り被覆域と前記後胴周り被覆域とを有するパンツ形状および砂時計形状のいずれかを呈する身体被覆部と、前記身体被覆部とは別体に作られた前記体液吸収部とによって前記使い捨ておむつが形成され、前記股部被覆域と前記前胴周り被覆域と前記後胴周り被覆域とのいずれかにおいて、前記体液吸収部の前記側縁部が前記身体被覆部の前記内面から離間し、前記短冊片の前記一端部がその離間している前記内面と前記側縁部との間にあって、前記内面と前記側縁部とのいずれかに接合し、前記短冊片の前記反対端部が前記身体被覆部の前記横方向において前記側縁部の外側へ延びている。
【０００９】
この実施態様に基づく使い捨ておむつでは、短冊片の一端部が身体被覆部と体液吸収部の側縁部との間にあって、身体被覆部または体液吸収部と短冊片の一端部との接合部位は着用者の肌に当たることがないから、その接合部位によって肌を刺激することがない。
【００１０】
この発明の実施態様の他の一つにおいては、前記短冊片が横Ｖ字形を画くように前記長さ方向に折曲されている。
【００１１】
この実施態様に基づく使い捨ておむつを着用すると、肌に接触する横Ｖ字形の短冊片はＶ字形の開角が小さくなったり、大きくなったりするように弾性変形し得るので、肌と短冊片との間に漏れの原因となる隙間が生じ難い。
【００１２】
この発明の好ましい実施態様のさらに他の一つにおいては、前記短冊片を形成している前記シート材料が不織布であって、前記不織布がエラストマーからなる繊維および捲縮した繊維のいずれかを含む。
【００１３】
この実施態様に基づく使い捨ておむつでは、これら繊維の存在によって、短冊片が弾性的に変形可能なものになる。この短冊片を有する使い捨ておむつを着用すると、短冊片が弾性的に変形した状態で肌に接触し得るので、短冊片と肌との接触が確実になり、短冊片と肌との間からの排泄物の漏れ防止が確実になる。
【００１４】
この発明の実施態様のさらに他の一つにおいて、一対の前記側縁部に沿って延びる前記体液防漏手段どうしの間には、前記体液防漏手段から独立した第２の短冊片の複数が前記おむつの前記横方向で横並びとなることによって、前記おむつの前記前後方向いずれかへの体液の流動を規制可能な手段が形成されている。
【００１５】
この実施態様に基づく使い捨ておむつでは、体液の流動を規制可能な手段がおむつ前後方向への体液の流れを止めるので、体液は前胴周り被覆域や後胴周り被覆域から漏れることがない。
【発明を実施するための最良の形態】
【００１６】
添付の図面を参照して、この発明に係る使い捨ておむつの詳細を説明すると、以下のとおりである。
【００１７】
図１に部分破断平面図で示された使い捨ておむつ１は開放型のものであって、透液性不織布で形成された内面シート２と、不透液性プラスチックフィルムで形成された外面シート３と、これら両シート２，３間に介在する体液吸収性材料のブロックである芯材４とを有する。内面シート２と外面シート３とは、芯材４の周縁から延出して重なり合い接着剤（図示せず）を介して互いに接合している。おむつ１の平面形状は砂時計型であって、互いに直交する横方向Ｘと前後方向Ｙとを有し、前後方向Ｙの中央には股部被覆域５が形成され、股部被覆域５の前方と後方とには前胴周り被覆域６と後胴周り被覆域７とが形成されている。股部被覆域５は、おむつ１の横方向Ｘの寸法である幅を二等分する中心線Ｃに向かって凸となるように湾曲し、その湾曲している部位を形成している側縁部フラップ８（図２参照）では複数条の糸ゴム９が内面シート２と外面シート３との間にあって、これらシート２，３の少なくとも一方にホットメルト接着剤（図示せず）を介して伸長状態で接合している。前後胴周り被覆域６，７において横方向Ｘへ延びる前後の端縁部１１，１２では、複数条の糸ゴム１３，１４が内面シート２と外面シート３との間にあって、これらシート２，３の少なくとも一方にホットメルト接着剤（図示せず）を介して伸長状態で接合している。後胴周り域７の側縁部１６のそれぞれでは、テープファスナ１７がおむつ１の外側へ延びている。おむつ１を着用するときに、テープファスナ１７は前胴周り被覆域６の側縁部１５の近傍において外面シート３に止着させる。おむつ１はまた、中心線Ｃに関して対称を成すように配置された一対の体液防漏手段２１を有する。図示例の体液防漏手段２１は、不織布からなる複数の短冊片２２の集合体であって、短冊片２２が前後方向Ｙにおいて互いに横並びとなるように配置され、それぞれの固定部位２３（図２参照）が内面シート２に溶着または接着により固定される。図では、内面シート２に対して溶着され、短冊片としての形状を失った固定部位２３が前後方向Ｙへ延びる帯状の線として示されている。
【００１８】
図２は、図１においておむつの前後方向Ｙの寸法を二等分する中心線Ｄに一致するＩＩ−ＩＩ線に沿った切断面を示す図である。芯材４は、股部被覆域５を中央にして前後方向Ｙへ延びており、両側部３１と、おむつ着用者（図示せず）の肌と向かい合う側に位置する内面３２と、おむつ着用者の着衣と向かい合う側に位置する外面３３とを有する。かかる芯材４は、両側部３１と内面３２とを被覆する内面シート２と、外面３３を被覆する外面シート３とともに体液吸収部３４を形成している。体液吸収部３４は、おむつ１の横方向Ｘにおいて向かい合い、前後方向Ｙへ延びる一対の側縁部３５を有し、これら側縁部３５間の寸法ｍは股部被覆域５の幅ｎよりも小さく、側縁部３５それぞれの外側にはおむつ着用者の脚周りに密着させる側縁部フラップ８が形成されている。おむつ１はまた、体液吸収部３４の側縁部３５の近傍に複数の短冊片２２からなる防漏手段２１を有する。短冊片２２は、それを形成している不織布の厚さ方向である厚さ方向と、おむつ１の前後方向Ｙである幅方向と、これら両方向と交差する長さ方向とを有する。短冊片２２はまた、長さ方向の一端部が固定部位２３として内面シート２に対して溶着または接着により接合され、その一端部の反対端部である可撓性部位２５が変形自由な状態にあって、おむつ１が着用されたときに着用者の肌にソフトなタッチで接触し得るように、内面シート２から概ねその上方へ向かって延びている。なお、図示例の固定部位２３は内面シート２に溶着されており、短冊片としての形状を失っている。複数の短冊片２２はまた、おむつ１の横方向Ｘにおいて、可撓性部位２５が互いに重なり合うように、但し図示例のように横方向Ｘにおいて互いに多少のすき間をあけながら全体として房を形成するように配置されている（図１を併せて参照）。房を形成している短冊片２２の中には、可撓性部位２５が体液吸収部３４の側縁部３５から中心線Ｃへ向かうように図において斜め上方へ延びる可撓性部位２５ａの他に、水平に画かれた外面シート３と直交するようにほぼ垂直に上方へ延びるものや横方向Ｘにおいておむつ１の外側へ向かうように斜め上方へ延びる可撓性部位２５ｂ等がある。かような短冊片２２の寸法は、おむつ１がベビー用のものである場合と成人用のものである場合とを含めて、幅が３〜２０ｍｍの範囲にあり、可撓性部位２５の長さが１０〜８０ｍｍの範囲にあることが好ましい。可撓性部位２５は、それが中心線Ｃに向かって延びるものである場合と、おむつ１の外側へ向かって延びるものである場合とで長さを変えることができる。但し、中心線Ｃに向かって延びる可撓性部位２５の長さは、それが内面シート２の上に倒伏した場合に、中心線Ｃを越えないことが好ましい。一方、おむつ１の外側に向かって延びる可撓性部位２５の長さは、それが内面シート２の上に倒伏した場合に、側縁部８を越えておむつ１の外側にまで延びないことが好ましく、脚周りの糸ゴム９を越えないことがより好ましい。
【００１９】
短冊片２２を形成する不織布は、坪量１０〜５０ｇ／ｍ２を有するスパンボンド不織布、スパンレース不織布、メルトボンド不織布等であることが好ましい。これら不織布はまた、エラストマーからなる繊維または捲縮した繊維を含み、弾性的に変形可能なものであることが好ましい。不織布はまた、親水性のものであっても、疎水性のものであってもよいが、それが親水性のものであると、体液吸収部３４の内面の広い範囲が短冊片２２によって覆われていても、体液は短冊片２２どうしの間を通って体液吸収部３４にまで容易に到達し得ることがある。ただし、この発明において、短冊片２２は、プラスチックフィルムやゴムシート、織布等のシート材料で形成することもできる。これら材料からなる短冊片２２もまた、弾性的に変形可能なものであることが好ましい。いずれの材料からなる短冊片２２も、ＪＩＳ  Ｌ  １９１３に規定されるカンチレバー式剛軟度の値が１０〜１２０の範囲にあって、複数の短冊片で肌触りのよい房を形成できるものであることが好ましい。
【００２０】
複数の短冊片２２からなる体液防漏手段２１は、図１において、股部被覆域５から中心線Ｃに平行して前胴周り被覆域６と後胴周り被覆域７とにまで延びている。但し、このような体液防漏手段２１は、前後方向Ｙの長さと位置とを変えることが可能であり、例えば股部被覆域５と後胴周り被覆域７とにのみ配置したり、後胴周り被覆域７または前胴周り被覆域６のみに配置したりすることができる。
【００２１】
図３は、着用状態にあるおむつ１についての図２と同様な図であって、おむつ１の着用者の肌Ｓが仮想線で示されている。短冊片２２は、可撓性部位２５が肌Ｓに接触して、排泄物（図示せず）が短冊片２２を越えておむつ１から漏れることを防ぐ。短冊片２２はまた、可撓性部位２５が図２，３に可撓性部位２５ａとして例示されているように体液吸収部３４の直上に位置している場合には、排泄された軟便が体液吸収部３４の上で前後方向Ｙへ流れるのを妨げるように作用する。その作用の結果として、おむつ着用者の股部や前胴周り部はその軟便によって汚れるということがない。
【００２２】
図４，５は、この発明の実施態様の一例を示す図１と同様な図と、図４のＶ−Ｖ線切断面を示す図である。図示例のおむつ１０１は、砂時計型を呈し、股部被覆域５と前胴周り被覆域６と後胴周り被覆域７とを有する身体被覆部５０と、身体被覆部５０とは別体に作られて前後方向Ｙに長い矩形を呈する体液吸収部３４とを有する。
【００２３】
身体被覆部５０は、その内面を形成している不透液性プラスチックフィルム５２と、その外面を形成している不織布５３とを含む。股部被覆域５において横方向Ｘの寸法を二等分する中心線Ｃに向かって湾曲している脚周りの側縁部フラップ８では、複数条の糸ゴム９がフィルム５２と不織布５３との間にあって、フィルム５２と不織布５３との少なくとも一方に伸長状態で接合している。前後胴周り被覆域６，７において横方向Ｘへ延びる前端縁部１１と後端縁部１２とでは、これら前後端縁部１１，１２に沿って幅方向Ｘへ延びる複数条の糸ゴム１３，１４がフィルム５２と不織布５３との間にあって、フィルム５２と不織布５３との少なくとも一方に伸長状態で接合している。
【００２４】
体液吸収部３４は、粉砕パルプや高吸水性ポリマー粒子等の体液吸収性材料からなるブロックである芯材４を不織布または開孔プラスチックフィルムからなる透液性シート５４で被覆することにより形成されている。体液吸収部３４の前後端縁部５６，６７は、透液性シート５４どうしが重なり合い互いに接合することにより形成されており、その前後端縁部５６，５７が接着剤５８を介してフィルム５２に接合されている。体液吸収部３４はまた、フィルム５２と向かい合う下面５９のうちの横方向Ｘの中央部が接着剤５８を介してフィルム５２に接合されているが（図５参照）、側縁部３５の近傍は、フィルム５２に対して非接合の状態にあって、フィルム５２から離間している。
【００２５】
おむつ１０１における防漏手段２１は、身体被覆部５０の股部被覆域５から前胴周り被覆域６に延びる第１防漏手段２１ａと股部被覆域５から後胴周り被覆域７へ延びる第２防漏手段２１ｂとからなり、第１、第２防漏手段２１ａ，２１ｂが前後方向Ｙに寸法Ｗだけ離間している。第１防漏手段２１ａは尿道口の近傍に位置するように形成され、第２防漏手段２１ｂは肛門の近傍に位置するように形成されている。第１防漏手段２１ａと第２防漏手段２１ｂとの構造は概ね同じであって、図５には第１防漏手段２１ａの断面形状が示されている。第１防漏手段２１ａでは、短冊片２２の固定部位２３が体液吸収部３４の側縁部３５の下方にあってプラスチックフィルム５２に接着または溶着により接合される。但し、図示例では、その固定部位２３が接着剤５８を介してプラスチックフィルム５２に接合されている。短冊片２２の可撓性部位２５は、体液吸収部３４の側縁部３５近傍から身体被覆部５０の横方向Ｘに向かって延出している。複数の短冊片２２のうちの一部のものでは、その延出した可撓性部位２５が中心線Ｃへ向かうように側縁部３５に沿って湾曲し、また一部のものではその延出した可撓性部位２５が身体被覆部５０の側縁部フラップ８に向かって延びている。可撓性部位２５は、短冊片２２を熱成形することによって図示例の如く湾曲させることができる他に、側縁部３５の近傍において透液性シート５４に接合することによっても湾曲させることができる。
【００２６】
このように形成された図４，５のおむつでは、短冊片２２の固定部位２３がおむつ着用者の肌に触れて、その肌を刺激するということがない。また、第１防漏手段２１ａと第２防漏手段２１ｂとが股部被覆域５で前後方向Ｙへ寸法Ｗだけ離間していることによって、防漏手段２１による股部被覆域５の嵩張りを軽減することができる。寸法Ｗの値は、１０〜１００ｍｍの範囲にあることが好ましい。
【００２７】
図６もまた、この発明の実施態様の一例を示す図２と同様な図である。図示例のおむつ２０１では、防漏手段２１を形成している短冊片２２が横Ｖ字形に折曲された状態にあって、短冊片２２の固定部位２３がおむつ２０１の側縁部８に接着剤（図示せず）を介して接合される一方、可撓性部位２５が体液吸収部３４の側縁部３５の近傍からおむつ２０１の外側へ向かって延びている。このおむつ２０１が着用されて、短冊片２２が肌（図示せず）に接触して矢印Ｐ方向へ押圧されると、短冊片２２には、その反作用として矢印Ｐ方向とは反対の矢印Ｑ方向へ復元しようとする力が生じてその肌に密着し、短冊片２２と肌との間にはすき間が生じ難い。このように作用する短冊片２２は、エラストマーからなる繊維や捲縮した繊維を含むことによって弾性的に変形可能な不織布で作られていることが好ましい。
【００２８】
図７，８もまた、この発明の一実施態様を示す図１と同様な図と、図７のＶＩＩＩ−ＶＩＩＩ線矢視図である。図示例のおむつ３０１では、図１と同様に不織布で形成された複数の第１の短冊片２２からなる一対の防漏手段２１が設けられている他に、これら一対の防漏手段２１と２１との間にあって横方向Ｘへ延びる前方および後方流動規制手段５１，５２が前胴周り被覆域６と後胴周り被覆域７とに設けられている。これら両規制手段５１，５２は、不織布やプラスチックフィルム、ゴムシート等のシート材料、より好ましくは弾性的に変形可能な不織布で第１の短冊片２２とは別個に作られた複数の第２、第３の短冊片６２，６３を含み、これら第２、第３の短冊片６２，６３がおむつ１の横方向Ｘにおいて互いに横並びとなり、前後方向Ｙにおいて互いに重なり合うように配置されている。図８に示されているように、後方流動規制手段５２における第３の短冊片６３は、長さ方向の下端部である固定部位６４が溶着により内面シート２に接合されて短冊片としての形状を失っている。また、固定部位６４の反対端部である可撓性部位６５が内面シート２の上方へ延びている。また、好ましい後方流動規制手段５２では、第３の短冊片６３のうちの過半のものの可撓性部位６５が中心線Ｄに向かって傾斜または湾曲している（図７参照）。前方流動規制手段５１は、後方流動規制手段５２と概ね同じ構造を有し、好ましい前方流動規制手段５１でもまた、第２の短冊片６２のうちの過半のものの可撓性部位６６が中心線Ｄに向かって傾斜または湾曲している。
【００２９】
このように形成されている図７，８のおむつ３０１における、前方と後方の流動規制手段５１，５２は、内面シート２の上で排泄物（図示せず）が前後方向Ｙへ流れる範囲を規制し、前方流動規制手段５１であれば、体液が前方へ流れて前胴周り被覆域６の前端縁部１１から漏れることを防止する。また、後方流動規制手段５２であれば、体液が後方へ流れて後胴周り被覆域７の後端縁部１２から漏れることを防止する。ただし、前端縁部１１または後端縁部１２からの漏れを防止する必要がなければ、おむつ３０１において前方流動規制手段５１または後方流動規制手段５２を省くことができる。第２、第３の短冊片６２，６３は、第１の短冊片２２と同様に肌触りのよい柔軟な不織布によって作ることが可能で、そのような短冊片６２，６３は、肌に密着しても肌に跡をつけたり、肌をかぶれさせたりすることがない。
【００３０】
図９もまた、この発明の実施態様の一例を示す使い捨ておむつ４０１の斜視図である。おむつ４０１はパンツ型のもので、このような形状のおむつ４０１は、図１や図４に示された開放型のおむつ１を表面シート２を内側にして中心線Ｄに沿って折り重ね、そのときに前後胴周り被覆域６，７の合掌状に重なり合う側縁部１５，１６どうしを接着または溶着によって接合することで作ることができる。おむつ４０１には、テープファスナが不要であるから、図１や図４のおむつ１からおむつ４０１を作ろうとするときには、予めおむつ１からテープファスナ１７を外しておくことが好ましい。
【産業上の利用可能性】
【００３１】
この発明によれば、肌を刺激することのない防漏手段を有する使い捨ておむつの製造が可能になる。
【図面の簡単な説明】
【００３２】
【図１】使い捨ておむつの部分破断平面図。
【図２】図１のＩＩ−ＩＩ線切断面を示す矢視図。
【図３】着用状態にある使い捨ておむつについての図２と同様な図。
【図４】実施態様の一例を示す図１と同様な図。
【図５】図４のＶ−Ｖ線切断面を示す矢視図。
【図６】実施態様の一例を示す図２と同様な図。
【図７】実施態様の一例を示す図１と同様な図。
【図８】図７のＶＩＩＩ−ＶＩＩＩ線切断面を示す矢視図。
【図９】実施態様の一例であるパンツ型使い捨ておむつの斜視図。
【符号の説明】
【００３３】
１    おむつ
２    透液性シート（内面シート）
３    不透液性シート（外面シート）
４    ブロック
５    股部被覆域
６    前胴周り被覆域
７    後胴周り被覆域
２１    体液防漏手段
２２    短冊片
２３    一端部（固定部位）
２５    反対端部（可撓性部位）
５０    身体被覆部
５１    流動規制手段
５２    流動規制手段
１０１    おむつ
１０２    おむつ
３０１    おむつ
４０１    おむつ
Ｘ    横方向
Ｙ    前後方向
【図１】
2005230103.tif 000003
【図２】
2005230103.tif 000004
【図３】
2005230103.tif 000005
【図４】
2005230103.tif 000006
【図５】
2005230103.tif 000007
【図６】
2005230103.tif 000008
【図７】
2005230103.tif 000009
【図８】
2005230103.tif 000010
【図９】
2005230103.tif 000011